【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
陽極リード(20)を突出させたコンデンサ素子(２)と、該陽極リード(20)に接続された陽極側リードフレーム(３)と、コンデンサ素子(２)の周面に取り付けられた陰極側リードフレーム(30)とを具え、陽極側リードフレーム(３)の一部及び陰極側リードフレーム(30)の一部とコンデンサ素子(２)とがハウジング(５)に覆われた固体電解コンデンサに於いて、
陽極側リードフレーム(３)はハウジング(５)内にて陽極リード(20)に向けて突出した突起部(４)を形成し、
突起部(４)は、陽極リード(20)よりも上方に位置し陽極リード(20)と略平行な第１水平部(41)と、陽極リード(20)に接する第２水平部(40)と、両水平部(41)(40)を繋ぐ連結部(42)と、前記第２水平部(40)の内側端部から上向きに傾斜して折曲された補助折曲部(43)を具え、
陽極リード(20)に接する第２水平部(40)上の接触面(46)は平坦に形成され、第２水平部(40)上であって該接触面(46)と反対側の面は湾曲形に形成されていることを特徴とする固体電解コンデンサ。
【請求項２】
陽極リード(20)を突出させたコンデンサ素子(２)と、該陽極リード(20)に接続された陽極側リードフレーム(３)と、コンデンサ素子(２)の周面に取り付けられた陰極側リードフレーム(30)とを具え、陽極側リードフレーム(３)の一部及び陰極側リードフレーム(30)の一部とコンデンサ素子(２)とがハウジング(５)に覆われた固体電解コンデンサに於いて、
陽極側リードフレーム(３)は、折り曲げによってハウジング(５)内にて陽極リード(20)に向けて突出した突起部(４)を形成し、
突起部(４)は、陽極リード(20)よりも上方に位置し陽極リード(20)と略平行な第１水平部(41)と、陽極リード(20)に接する第２水平部(40)と、両水平部(41)(40)を繋ぐ連結部(42)と、該第２水平部(40)の内側端部から上向きに傾斜して折曲された補助折曲部(43)とを具えていることを特徴とする固体電解コンデンサ。
【請求項３】
第２水平部(40)は、陽極リード(20)との接触面(46)が平坦に形成されると共に、接触面(46)と反対側の面は湾曲形に形成されている、請求項２に記載の固体電解コンデンサ。
【請求項４】
第１水平部(41)及びコンデンサ素子(２)の周面に接する陰極側リードフレーム(30)は、陽極リード(20)から略同一高さにある、請求項１乃至３のいずれかに記載の固体電解コンデンサ。
【請求項５】
請求項１乃至４のいずれかに記載した固体電解コンデンサの製造方法であって、
陽極側リードフレーム(３)の一部を曲げ加工して、突起部(４)を形成する工程と、
該突起部(４)の第２水平部(40)を更にプレス加工して陽極リード(20)との接触面(46)を押圧して平坦に形成するとともに、第２水平部(40)上であって該接触面(46)と反対側の面を湾曲形に形成する工程とを有する、固体電解コンデンサの製造方法。
【手続補正２】
【補正対象書類名】明細書
【補正対象項目名】０００２
【補正方法】変更
【補正の内容】
【０００２】
従来、図８に示す構成の固体電解コンデンサ(１)が知られている(特許文献１参照)。これは、細いワイヤ状の陽極リード(20)を突出したコンデンサ素子(２)を具え、該陽極リード(20)には陽極側リードフレーム(３)が抵抗溶接により取り付けられ、コンデンサ素子(２)の周面には、陰極側リードフレーム(30)が導電性接着剤(26)により取り付けられる。
コンデンサ素子(２)及び両リードフレーム(３)(30)の基端部は合成樹脂製のハウジング(５)にて覆われ、ハウジング(５)の外側に突出したリードフレーム(３)(30)はハウジング(５)の周面に沿って下向きに曲げ、更に底面に沿って水平に曲げられる。
固体電解コンデンサ(１)を形成する際には、図９に示すように、リードフレーム(３)(30)を取り付けたコンデンサ素子(２)を、離型可能な上下金型(９)(90)内の空間(91)に配備する。空間(91)に樹脂を射出成形した後に離型して、コンデンサ素子(２)を覆うハウジング(５)を形成する。ハウジング(５)の側面下端部は型抜きの為にテーパ面(５a)(図８参照)が形成される。その後、リードフレーム(３)(30)をハウジング(５)の周面に沿って下向きに曲げる。
コンデンサ素子(２)は図１０に示すように、タンタル等の弁金属の焼結体から形成される陽極体(24)の表面に、誘電体酸化被膜(21)、導電性高分子から形成される固体電解質層(22)、カーボン及び銀ペースト層(23)が陽極体(24)を覆って順次形成している。陽極リード(20)は弁金属製であって、陽極体(24)の中心部から突出している。
【手続補正３】
【補正対象書類名】明細書
【補正対象項目名】０００３
【補正方法】変更
【補正の内容】
【０００３】
図８に示すように、陽極側リードフレーム(３)は、ハウジング(５)内にて段部(７)を形成し、該段部(７)は陽極リード(20)より上方に位置し陽極リード(20)と略平行な第１水平部(41)と、該陽極リード(20)に接する第２水平部(40)を具える。陽極側リードフレーム(３)は第１水平部(41)の端部からハウジング(５)の外側に沿って屈曲され、垂直部(35)を形成する。
陽極リード(20)は長さにバラ付きがあるから、陽極リード(20)の先端(20a)と、陽極リード(20)の延長面とハウジング(５)との交点Ｘが接近するものがある。
垂直部(35)の上端が段部(７)の段差分だけ第２水平部(40)よりも上側に位置することにより、交点Ｘと垂直部(35)は、該段差に対応したテーパ面(５a)の水平距離分だけ離れて余裕を設けている。これにより、陽極側リードフレーム(３)をハウジング(５)に沿って折曲して垂直部(35)を形成する際に、陽極リード(20)の先端と垂直部(35)が接して、陽極リード(20)の先端が傷付く虞れを防いでいる。
【手続補正４】
【補正対象書類名】明細書
【補正対象項目名】０００５
【補正方法】変更
【補正の内容】
【０００５】
段部(７)は、金属製の陽極側リードフレーム(３)が折曲されて形成されているから、スプリングバックを生じることがある。ここでスプリングバックとは、金属を折曲した後に、図１１に誇張して描いた角度Ｙ、Ｚで示す如く、曲げ角度が広がるように、変形することを指す。
従って、図１２に示すように、コンデンサ素子(２)の陽極リード(20)が陽極側リードフレーム(３)の第２水平部(40)に対し、斜めに取り付けられ、コンデンサ素子(２)の陽極リード(20)と陽極側リードフレーム(３)の接触面積にバラ付きが生じることがある。
また、図１３に示すように、第２水平部(40)に陽極リード(20)を溶接すると、傾いて溶接されたコンデンサ素子(２)が陰極側リードフレーム(30)を押し上げ、該陰極側リードフレーム(30)がハウジング(５)からはみ出し、外観不良を生じることがある。この結果、コンデンサ素子(２)の接合強度がバラ付き、信頼性に不安があった。
また、コンデンサ素子(２)の周面を陰極側リードフレーム(30)に取り付けたときに、陽極リード(20)と陽極側リードフレーム(３)の位置関係がズレていると、以下の問題がある。陽極リード(20)と陽極側リードフレーム(３)とが平行でないから、陽極リード(20)と陽極側リードフレーム(３)の実質的な接触面積が狭くなる。これにより、接合強度が弱く、且つＥＳＲが増加する等の問題がある。
更に、陽極側リードフレーム(３)の量産時に金型にて第２水平部(40)を大量に形成すると、金型の摩耗等により、第２水平部(40)が丸みを帯び、陽極リード(20)との接触面積が小さくなる虞れがある。
また、斯種コンデンサは、更なる小型化、大容量化も求められている。
本発明の目的は、上述の問題に鑑みて、陽極リードと陽極側リードフレームの接合強度の向上、ＥＳＲの減少等の信頼性の高い固体電解コンデンサを提供することにある。また、陽極側リードフレームをつぶすようにプレス加工して、陽極側リードフレームを初期の長さよりも長く形成し、更なる小型化、大容量化した固体電解コンデンサを提供することも目的とする。
【手続補正５】
【補正対象書類名】明細書
【補正対象項目名】０００６
【補正方法】変更
【補正の内容】
【０００６】
固体電解コンデンサ(１)は、陽極リード(20)を突出させたコンデンサ素子(２)と、該陽極リード(20)に接続された陽極側リードフレーム(３)と、コンデンサ素子(２)の周面に取り付けられた陰極側リードフレーム(30)とを具え、陽極側リードフレーム(３)の一部及び陰極側リードフレーム(30)の一部とコンデンサ素子(２)はハウジング(５)に覆われ、陽極側リードフレーム(３)はハウジング(５)内でＶ字状に折曲されて、陽極リード(20)に向けた突起部(４)を形成している。
突起部(４)は、陽極リード(20)よりも上方に位置し陽極リード(20)と略平行な第１水平部(41)と、陽極リード(20)に接する第２水平部(40)と、両水平部を繋ぐ連結部(42)と、該第２水平部(40)の内側端部から上向き折曲され連結部(42)と略対称に傾斜した補助折曲部(43)を具えている。
第２水平部(40)上であって陽極リード(20)との接触面は、該面をプレス加工によって平坦につぶして形成されている。
更に、固体電解コンデンサ(１)の製造方法は、陽極側リードフレーム(３)を曲げ加工又は深絞り加工して、先端に第２水平部(40)を有する突起部(４)を形成する工程と、該突起部(４)の第２水平部(40)を更にプレス加工して陽極リード(20)との接触面(46)を平坦につぶすように形成するとともに、該接触面(46)と反対側の面を丸みを帯びた湾曲形に形成する工程とを有する。
【手続補正６】
【補正対象書類名】明細書
【補正対象項目名】００１０
【補正方法】変更
【補正の内容】
【００１０】
図２は、陽極側リードフレーム(３)の先端部の拡大図である。陽極側リードフレーム(３)の基端部は、プレス加工によって下向きに突出した突起部(４)を形成している。突起部(４)は、陽極リード(20)よりも上方に位置し陽極リード(20)と略平行な第１水平部(41)と、陽極リード(20)に接する第２水平部(40)と、両水平部(40)(41)を繋ぐ連結部である第１傾斜部(42)と、該第２水平部(40)の内側端部から上向き折曲され第１傾斜部(42)と略対称に傾いた補助折曲部(43)を具えている。補助折曲部(43)は、第２水平部(40)の内側端部から斜め上向きに延びた第２傾斜部(44)と、該第２傾斜部(44)の上端部から内向きに延びた第３水平部(45)を具える。第１、第３水平部(41)(45)は、ハウジング(５)内にてコンデンサ素子(２)の周面に接した陰極側リードフレーム(30)と略同一高さにある。
第２水平部(40)上であって陽極リード(20)との接触面(46)は、後記の如く、追加のプレス加工によって、平坦に形成されている。第２水平部(40)上であって該接触面(46)と反対側の面(47)は丸みＲを帯びて湾曲形に形成されている。
【手続補正７】
【補正対象書類名】図面
【補正対象項目名】図８
【補正方法】変更
【補正の内容】
【図８】
2007201122.tif 000001